(57)【要約】【課題】  デザイン性を備えたセキュリティー機能の高い自動車用収納ボックスのロック装置を提供する。【解決手段】  固定部材１と開閉部材２とを有する収納ボックス装置１０において、開閉部材２の閉状態を維持するロック部材３をＦＰＣ４からなる配線材を介して制御回路に接続し、スイッチ部材９を操作することにより収納ボックスの開閉を行う。  【選択図】  図２
2006327467.tif 000002
【特許請求の範囲】
【請求項１】
固定部材と、
前記固定部材にスライド又は回動自在に設けられ収納部を開閉する開閉部材と、
前記開閉部材が閉状態において前記開閉部材を前記固定部材に固定するロック部材と、
前記ロック部材のロック又は解除を制御する制御手段と、
前記制御手段を操作するためのスイッチ部材と、
前記ロック部材，制御手段及びスイッチ部材を電気的に接続する配線材と
を有することを特徴とする収納ボックス装置。
【請求項２】
前記配線材は、可撓性を有することを特徴とする請求項１記載の収納ボックス装置。
【請求項３】
前記配線材は、ＦＰＣであることを特徴とする請求項２記載の収納ボックス装置。
【請求項４】
前記スイッチ部材は、意匠板に隠されていることを特徴とする請求項１記載の収納ボックス装置。
【請求項５】
前記スイッチ部材は、静電容量式スイッチであることを特徴とする請求項１記載の収納ボックス装置。
【請求項６】
前記スイッチ部材は、感圧式スイッチであることを特徴とする請求項１記載の収納ボックス装置。
【請求項７】
前記制御手段は、エンジンキーポジションに連動し、エンジンキーポジションがＡＣＣ又はＯＮのときのみ前記ロック部材のロックを解除することを特徴とする請求項１記載の収納ボックス装置。
【請求項８】
前記スイッチ部材は、複数のスイッチボタンを有し、前記制御手段は、前記複数のスイッチボタンが予め設定された入力順で押下されたときのみ前記ロック部材を解除する暗証番号回路を有することを特徴とする請求項１記載の収納ボックス装置。
【請求項９】
前記開閉部材は、前記固定部材に対してスライドするスライド式収納ボックスであることを特徴とする請求項１記載の収納ボックス装置。
【請求項１０】
前記開閉部材は、前記固定部材にヒンジを介して接続されたヒンジ式扉であることを特徴とする請求項１記載の収納ボックス装置。
【請求項１１】
前記スイッチ部材は、前記開閉部材と離れて配置されていることを特徴とする請求項１記載の収納ボックス装置。
【発明の詳細な説明】
【技術分野】
【０００１】
本発明は、自動車用コンソールボックスなどの車両用に適した収納ボックス装置に関し、特にそのロック装置に関するものである。
【背景技術】
【０００２】
従来より、自動車用収納ボックスのフタをロックする手段として、収納ボックスにキーシリンダーを設置し、シリンダーの差込み口にキーを差し込んで収納ボックスのロック及び解除を行う方法が知られている（特許文献１）。
【特許文献１】実開平５−２０９４０号公報、段落０００４〜０００８、図３
【発明の開示】
【発明が解決しようとする課題】
【０００３】
しかしながら、上述した従来のロック装置では、キーシリンダーのキー差込み口が収納ボックスの外側面に配置されているため、デザイン性を損なっている。また、シリンダー部分が人目に触れ、第三者にも鍵の位置が容易に分かるため、車上荒らしや泥棒等によってロックを破壊される可能性がありセキュリティー面に問題がある。
【０００４】
本発明は、このような点に鑑みてなされたもので、デザイン性を備えたセキュリティー機能の高い収納ボックス装置を提供することを目的とする。
【課題を解決するための手段】
【０００５】
本発明に係る収納ボックス装置は、固定部材と、前記固定部材にスライド又は回動自在に設けられ収納部を開閉する開閉部材と、前記開閉部材が閉状態において前記開閉部材を前記固定部材に固定するロック部材と、前記ロック部材のロック又は解除を制御する制御手段と、前記制御手段を操作するためのスイッチ部材と、前記ロック部材，制御手段及びスイッチ部材を電気的に接続する配線材とを有することを特徴とする。
【発明の効果】
【０００６】
本発明によれば、収納ボックスの開閉を操作するためのスイッチ部材と、収納ボックスを閉状態に係止するロック部材は電気的に接続され、収納ボックスの開閉動作はスイッチ操作を行うことにより制御される。そのため、従来技術のように機械的なキー差込み口設置が不要でありデザイン性に優れる。また、第三者（車上荒らしや泥棒等）には、ロック装置の種類や機構が容易に判断できにくいためセキュリティーの向上を図ることができる。
【発明を実施するための最良の形態】
【０００７】
以下、添付した図面を参照して、本発明の実施の形態を説明する。
【０００８】
図１は、スライド型収納ボックス装置１０の構成を示す斜視図である。図２は、収納ボックス装置１０の開閉部材２が開いた状態の斜視図である。また、図３は図２のＡ−Ａ’断面図である。
【０００９】
収納ボックス装置１０は、自動車内部に固定して設置されている固定部材１と、閉状態では固定部材１に格納され、小物等を収納する収納孔２ａを有して開閉自在に設置されている開閉部材２と、開閉部材２を固定部材１に格納する閉状態を維持するためのロック部材３とを備えて構成されている。ロック部材３は、ソレノイド１３と、開閉部材２が閉状態であるとき、ソレノイド１３の可動芯１３ａと係合するように設置されている係合孔１２からなる。ソレノイド１３は、可撓性を有する配線材であるＦＰＣ４によって、後述する制御回路２０にコネクタ５を介して接続されている。ピニオンギア６は、開閉部材２の両側下縁部にスライド方向に延びるように形成されているラックギア７と噛み合うように設置され、ＤＣモータ８の回転運動を直線運動に変換し、開閉部材２の開閉動作をＤＣモータ８の駆動力を用いて行うことができるように構成されている。また、ＤＣモータ８は、後述する制御回路２０に電気的に接合されている。スイッチ部材９は、開閉部材２の外側面に配置され、後述する制御回路２０に電気的に接合され、外から見えないよう意匠板１１によって覆われている。意匠板１１は、被覆材としてのその表面に目的に応じた模様、色等の意匠処理が施されている。例えば、透明な部材に木目調のプリントを転写したものを使用すれば、木目調のスイッチとなり、マジックミラーの機能を持った部材を使用すれば、金属的なデザインのスイッチも実現可能である。
【００１０】
図４は、この収納ボックス装置１０の動作制御を行う制御回路２０の電気的構成を示す回路図である。
【００１１】
スイッチ部材９を構成する検知電極１６は、例えばＦＰＣ４の一方の面に形成された電極パターンからなり、静電容量検知回路１７に接続されている。検知回路１７は、検知電極１６の対接地容量Ｃｘに応じた検出値を出力する。この検知回路１７は、例えば発振回路を内蔵し、検知電極１６によって生成される静電容量Ｃｘに応じて発振周波数又はデューティー比が変化する信号を生成するものである。ＣＰＵ１８は、検知回路１７からの検出値を入力し、検出値に応じて、ソレノイド駆動回路１４及びモータ駆動回路１５に制御出力をする。ソレノイド駆動回路１４及びモータ駆動回路１５はＣＰＵ１８から制御信号を入力すると、ソレノイド１３とＤＣモータ８を駆動して収納ボックス装置１０の開閉動作を行う。
【００１２】
次にこのように構成された収納ボックス装置１０の動作について説明する。
【００１３】
操作者が収納ボックス装置１０を開けたいとき、操作者は指をスイッチ部材９に近づける。指がスイッチ部分９に近づくと、スイッチ部分９に設置されている検知電極１６の対接地容量Ｃｘが大きくなり、これに伴って検知回路１７から出力される検出値も増加する。ＣＰＵ１８は、検知回路１７から入力する検出値が所定の判定値を超えると、ソレノイド駆動回路１４及びモータ駆動回路１５に制御信号を入力する。ソレノイド駆動回路１４は、ＣＰＵ１８から制御信号を入力すると、可動鉄芯１３ａを固定巻線１３ｂに格納し、ロック状態を解除する。次に、モータ駆動回路１５は、ＣＰＵ１８から制御信号を入力すると、ＤＣモータ８を駆動し開閉部材２を開状態にする。
【００１４】
このように構成された収納ボックス装置１０の効果について説明する。
【００１５】
操作者は、予め場所がわかっている意匠版１１に隠されたスイッチ部材９周辺に指を接近させると、検知電極１６が指の近接を検知してロック部材３が解除される。スイッチ部材９は、意匠を施された意匠板１１によって隠されているため、車の内装のデザイン性を損なわない。また、スイッチ部材９及びロック部材３は外から見ることができないため、第３者（車上荒らしや泥棒等）にロック装置の種類や機構が容易に判断されにくい。
【００１６】
他の実施例として、静電容量式スイッチの代わりに、感圧式スイッチを用いることでも本発明を実施することができる。この場合、図５に示すように感圧電極２１と押下力により変化する感圧電極の抵抗値を検知する検知回路２２を用いる。
【００１７】
他の実施例として、図６のようにソレノイド１３を収納ボックス装置の奥側に設置することでも本発明を実施することができる。
【００１８】
他の実施例として、スイッチ部材に複数のスイッチを配置し、その複数のスイッチを予め設定された順番で選択したときのみロック部材３のロックが解除するようにする暗証番号認識機能を付加することでも本発明を実施することができる。例えば、図７のように意匠板上に４つのスイッチボタン９ａ，９ｂ，９ｃ，９ｄ（Ａ，Ｂ，Ｃ，Ｄ）を設置し、予め設定された順番（例えばＢ→Ｄ→Ａ→Ｃ）にスイッチが押されたときに収納ボックス装置の開閉部材が開くように制御する。
【００１９】
他の実施例として、図８に示すグローブボックスのようなヒンジ型収納ボックスにも本発明を適用することができる。この場合、固定部材はダッシュボードとなり、開閉部材はヒンジ２４を支点として回動する開閉扉１９となる。また、収納部は、ダッシュボード及び開閉扉１９のどちらか一方または両方に形成される。ロック部材３は、開閉扉１９のヒンジ２４を通過させた可撓性のある配線材によって制御回路２０に電気的に接続される。これらの部材によりヒンジ型の収納ボックス装置が構成される。
【００２０】
他の実施例として、エンジンキーポジションがアクセサリ位置（ＡＣＣ）及びＯＮ位置（ＯＮ）のときのみ、収納ボックス装置の開閉部材が開閉できるように制御する機能を付加し、本発明を実施することができる。この場合、図９のようにＣＰＵ１８にエンジンキーポジション認識回路２３を接続する。キーポジション認識回路２３は、エンジンキーシリンダー部と電気的に接続され、キーポジションがＡＣＣ及びＯＮのときのみＣＰＵ１８に信号を入力する。ＣＰＵ１８は、検知回路１７からの検出値が判定値を超えてかつエンジンキーポジション認識回路２３から信号が入力されたときのみ、ソレノイド駆動回路１４及びモータ駆動回路１５を駆動して収納ボックス装置の開閉部材の開閉動作を行う。これにより、エンジンキーを有する車の所有者のみが、収納ボックス装置の開閉操作を行うことができるため、よりセキュリティー機能を向上させることができる。
【００２１】
他の実施例として、スイッチ部材がロック部材３及び制御回路２０に電気的に接続されていれば、図１０のスイッチ部材９ｅ，９ｆのようにインストルメンツパネルやドア等の自動車内のどこにでもスイッチ部材を配置することができる。収納部とスイッチ部材を離れたところに配置し、第３者（車上荒らしや泥棒等）に収納ボックス装置の位置を分かりにくくさせることで、セキュリティー性を向上させることができる。
【００２２】
本実施例では、自動車内に設置される収納ボックス装置に本発明を適用したが、建物内の収納家具や、航空機や船舶等に設置される収納ボックス装置としても本発明を実施することが可能である。
【図面の簡単な説明】
【００２３】
【図１】本発明の実施形態に係る収納ボックス装置の構成を示す斜視図である。
【図２】同装置の構成を示す斜視図である。
【図３】図２のＡ−Ａ’断面図である。
【図４】同装置の電気的構成を示すブロック図である。
【図５】同装置の他の電気的構成を示すブロック図である。
【図６】他の実施例における収納ボックス装置の構成を示す斜視図である。
【図７】更に、他の実施例における収納ボックス装置の構成を示す斜視図である。
【図８】更に、他の実施例における収納ボックス装置の構成を示す斜視図である。
【図９】更に、他の実施例における収納ボックス装置の電気的構成を示すブロック図である。
【図１０】更に、他に実施例における収納ボックスのロック装置の構成を示す斜視図である。
【符号の説明】
【００２４】
１…固定部材、２…開閉部材、３…ロック部材、４…ＦＰＣ、５…コネクタ、６…ピニオンギア、７…ラックギア、８…ＤＣモータ、９…スイッチ部材、１０…収納ボックス装置、１１…意匠板、１２…係合孔、１３…ソレノイド、１４…ソレノイド駆動回路、１５…モータ駆動回路、１６…検知電極、１７…静電容量検知回路、１８…ＣＰＵ、１９…開閉扉、２０…制御回路、２１…感圧電極、２２…検知回路、２３…キーポジション認識回路、２４…ヒンジ。
【図１】
2006327467.tif 000003
【図２】
2006327467.tif 000004
【図３】
2006327467.tif 000005
【図４】
2006327467.tif 000006
【図５】
2006327467.tif 000007
【図６】
2006327467.tif 000008
【図７】
2006327467.tif 000009
【図８】
2006327467.tif 000010
【図９】
2006327467.tif 000011
【図１０】
2006327467.tif 000012